(57)【要約】【課題】湿式空気清浄機の空気清浄能力を向上させる。【解決手段】本発明に係る湿式空気清浄機は、空気吸入口及び空気排出口を有するハウジング５０と、その内部を上部と下部とに分割する仕切り板２２０を有し、上部及び下部が仕切り板に形成された中央孔を介して連通されるように構成された貯留槽２００と、回転軸５８に固定して取り付けられ回転軸と共に回転し、洗浄水を散水しつつ空気吸入口からハウジング内に空気を吸入し、吸入された空気を散水された洗浄水中に通過させる送風ユニット６０と、貯留槽に貯留されている洗浄水を送風ユニットに供給する給水ユニット７０とを備えている。【選択図】図２
2008520333.tif 000002
【特許請求の範囲】
【請求項１】
湿式空気清浄機であって、
空気吸入口及び空気排出口を有するハウジングと、
その内部を上部と下部とに分割する仕切り板を有し、前記上部及び前記下部が前記仕切り板に形成された中央孔を介して連通されるように構成された貯留槽と、
回転軸に固定して取り付けられ前記回転軸と共に回転し、洗浄水を散水しつつ前記空気吸入口から前記ハウジング内に空気を吸入し、吸入された空気を散水された洗浄水中に通過させる送風ユニットと、
前記貯留槽に貯留されている洗浄水を前記送風ユニットに供給する給水ユニットとを備えることを特徴とする湿式空気清浄機。
【請求項２】
請求項１に記載の湿式空気清浄機であって、
前記空気吸入口から吸入した空気を前記ハウジングの下部に貯水されている洗浄水に向かって導き、前記空気を前記洗浄液中に流入させるガイドブロックをさらに備えることを特徴とする湿式空気清浄機。
【請求項３】
請求項２に記載の湿式空気清浄機であって、
回転軸に固定して取り付けられ、
前記貯留槽の下部に貯水されている洗浄水を吸い上げて散水し、
前記空気吸入口から吸入された空気を、前記散水された前記洗浄水中を通過させて、前記貯留槽の上部に貯水されている洗浄水中に流入するように導く浄化ユニットをさらに備えることを特徴とする湿式空気清浄機。
【請求項４】
請求項３に記載の湿式空気清浄機であって、
前記浄化ユニットは、
その下端が、前記仕切り板の前記中央孔を通って前記貯留槽の下部に貯留された洗浄水中に浸され、当該ユニットの回転時に生じる遠心力によって前記洗浄水を吸い上げるべく、上側から下側に向かうにつれて狭くなるじょうご状の形状を有する内側ガイド部と、
前記内側ガイド部の上端に設置された水噴射部と、
前記ガイドブロック内の空気を下方へ送る送風ファンと、
前記内側ガイド部の外側に離間して設けられ、前記送風機によって下方に送られた空気と前記水噴射部から噴射された洗浄水とを前記貯留槽の上部に貯留されている前記洗浄水中に流入させる間隙を前記内側ガイド部との間に有する外側ガイド部とを含むことを特徴とする湿式空気清浄機。
【請求項５】
請求項１に記載の湿式空気清浄機であって、
前記給水ユニットは、
その下端が前記貯留槽の下部に位置し、その上端が前記送風ユニットの上方に位置する水給水管と、
前記水給水管に取り付けられ、前記貯留槽の下部に貯留された洗浄水を揚水して前記送風ユニットに供給するポンプとを含むことを特徴とする湿式空気清浄機。
【請求項６】
請求項５に記載の湿式空気清浄機であって、
前記貯留槽の上部は、上側にいくにつれて外側に広がる壁と、その壁の端部から上側に延びる側壁とを有し
前記貯留槽の下部は、前記外側に広がる壁の底面から下側に延びる側壁を有し、
前記ハウジングの側壁は、その外面が、前記貯留槽の上部の側壁の内面と接触するように、前記外側に広がる壁を通って延びており、
前記給水管も、前記外側に広がる壁を通って延びて、前記貯留槽の下部に接続されることを特徴とする湿式空気清浄機。
【請求項７】
請求項１に記載の湿式空気清浄機であって、
前記貯留槽は、前記ハウジング内に着脱自在に設置されることをことを特徴とする湿式空気清浄機。
【請求項８】
請求項１に記載の湿式空気清浄機であって、
前記仕切り板の中央孔の周囲に設けられる水洗浄ユニットをさらに備えることを特徴とする湿式空気清浄機。
【請求項９】
請求項８に記載の湿式空気清浄機であって、
前記水洗浄ユニットは、複数の孔を有する環状のケースと、前記ケース内に充填され、前記ケースを通過する水に含まれている有害物質をろ過する洗浄物質とを含むことを特徴とする湿式空気清浄機。
【請求項１０】
請求項９に記載の湿式空気清浄機であって、
前記洗浄物質がゼオライトであることを特徴とする湿式空気清浄機。
【発明の詳細な説明】
【技術分野】
【０００１】
本発明は、湿式空気清浄機に関し、より詳しくは、きれいな洗浄水と、空気清浄機のハウジング内に吸入された空気を浄化するのに使用された汚れた洗浄水とを分離する切り板を有する貯留槽を備え、空気を、有害物質などの異物の含有密度が低いきれいな洗浄水に接触させることができる湿式空気清浄機に関する。
【背景技術】
【０００２】
一般に、空気清浄機は、浄化媒体を使用して、微細ダスト、様々な有害ガス、様々な細菌、カビ、ウイルスなどを含んでいる室内空気から異物を除去した後、きれいな空気を排出する装置である。このような空気清浄機は、室内空気を清潔かつ快適に保つという主要な機能の他にも、不快臭や小粒子（例えば、ダニ、花粉、ペットの毛）を除去する機能や、空気感染による病気発生を予防する機能などを有するため、四季を通じて使用することができる。
【０００３】
空気清浄機は、乾式と湿式に大きく２つに分けられる。乾式空気清浄機は、さらに、フィルタ式と電気集塵式に分けられる。
【０００４】
集塵式空気清浄機は、フィルタを使用しないため、フィルタの交換が不要という長所がある。しかし、電気集塵板にダストが溜まると、空気清浄機の清浄能力が低下し、ダストを除去する能力が弱まる。
【０００５】
フィルタ式空気清浄機は、空気がフィルタを通過する間に、様々な微粒子を捕集することができるので清浄能力に優れており、黄砂が発生する季節の使用に適している。しかし、フィルタを周期的に交換する必要があるので、メンテナンス費用が高いという短所がある。
【０００６】
一方、湿式空気清浄機は、吸入した空気を水に接触させることによって、吸入した空気中の浮遊粒子状物質を水に吸着させる方法を用いている。湿式空気清浄機は、まだ一般に広く使用されてはいないが、フィルタの交換が不要であり、騒音がほとんど発生しない、加湿機能を有するなどの多くの長所がある。そのため、湿式空気清浄機は、子供用に使用することが好ましい。しかし、湿式空気清浄機は、水の入れ替えや補充が必要であるため、乾式空気清浄機を使用する場合と比べると、手間がかかるという短所がある。
【０００７】
図１は、特許文献１に記載されている、従来の湿式空気清浄機を示す図である。
【０００８】
図１に示すように、吸入口１１には、ウォーターフィルタ１２が設置されている。ウォーターフィルタ１２は、空気中のダストや細菌を洗い流すべく、ミネラルを放出しながら水を送出する。水は、貯水槽１９からウォーターフィルタ１２へと循環する。ウォーターフィルタ１２の上側に設置されたウォータートレイ１３は、給水管２３を介してウォーターポンプ２２に連結される。ウォーターポンプ２２は、連結管２１を介して貯水槽１９又は給水部２４に連結されており、ウォーターフィルタ１２のウォータートレイ１３に水を揚水する。連結管２１には給水弁２５が設置されており、コントローラ２９の制御によって開放又は閉鎖される。
【０００９】
貯水槽１９の内部にはフロートスイッチ２６が設置されており、廃水排出管２８には廃水弁２７が設置されている。フロートスイッチ２６及び廃水弁２７は、給水弁２５と同様に、コントローラ２９と電気的に接続されている。
【００１０】
ウォーターフィルタ１２の空気排出口１６の下流側には空気吸入ファン１８が設置されている。ファン１８がモータ１７によって回転されると、空気吸入口を通じて空気を吸入する。モータ１７は、コントローラ２９に接続されているモータ駆動回路３０に接続されている。
【００１１】
ウォーターフィルタ１２の上側にはウォータートレイ１３が、前記フィルタ１２の下側には集塵トレイ１４が設置されている。ウォータートレイ１３と捕集トレイ１４との間には、多数のウォータープレート１５が、傾斜して所定の間隔で積層されている。
【００１２】
上記のように構成された従来の空気洗浄機は、ウォーターフィルタによって空気中の異物（例えば、ダストや細菌など）を除去しつつ、人体に有益なミネラルを放出する。
【００１３】
しかしながら、このような従来の湿式空気清浄機では、空気が洗浄水と接触する時間は、空気がフィルタを通過する時間に限定される。したがって、洗浄水が空気から異物を吸着することができる時間が短いため、空気の清浄効率がある一定レベル以上は向上しないという問題点があった。
【００１４】
その上、従来の空気清浄機は、構造が複雑であり多数の部品を必要とするため、製造に要する時間及びコストを低減させることができず、空気清浄機の値段を下げるのには限界があった。
【００１５】
上述した問題点を解決するために、洗浄水が所定の空間に貯留され、送風ユニット及び噴射ユニットが同じ空間に設置されるという、簡単な構造を有する湿式空気清浄機が提案されている。このような湿式空気清浄機の一例が、特許文献２に開示されている。
【００１６】
このような湿式空気清浄機は、室内空気を空気清浄機の内部に導入する、及び清浄された空気を空気清浄機の外部に排出するための空気循環通路を備えている。噴霧された水が貯留される貯留部は、前記空気循環通路の一部を形成する。また、前記湿式空気清浄機は、空気循環通路を通じて空気を循環させる送風ユニットと、空気清浄機の噴射空間内で水を噴射する噴射ユニットとをさらに備えている。
【００１７】
前記送風ユニットは、前記噴射空間内に空気を吸入するためのファンと、そのファンを駆動するためのモータとを含んでいる。前記噴射ユニットは、空気清浄機から水を揚水するためのポンプと、その水を噴射空間内に噴射するためのノズルとを有している。
【００１８】
空気循環通路内に吸入された空気は、一般に、上方から下方に流れ、水は下側から上側に噴射される。そして、空気清浄機内に導入された空気に、ノズルから噴射した液体微粒子を接触させることによって、空気中の異物を水に吸着させる。
【００１９】
しかし、このような従来の湿式空気清浄機では、洗浄水は空気清浄機のハウジング内に導入された空気を浄化するのに繰り返し使用される。したがって、洗浄水がハウジング内に導入された空気に含まれている異物を吸着することにより、空気清浄機の洗浄効率が低下するという問題があった。
【００２０】
【特許文献１】大韓民国特許第１０−０２０５５６６号明細書
【００２１】
【特許文献２】特開２０００−３３４２４０号公報
【発明の開示】
【発明が解決しようとする課題】
【００２２】
本発明は上記事情に鑑みてなされたものであって、その目的は、きれいな洗浄水と、空気清浄機のハウジング内に吸入された空気を浄化するのに使用された汚れた洗浄水とを分離する切り板を有する貯留槽を備え、空気を、有害物質などの異物の含有密度が低いきれいな洗浄水に接触させることができる湿式空気清浄機を提供することにある。
【課題を解決するための手段】
【００２３】
前記課題を解決すべく、本発明に係る湿式空気洗浄機は、空気吸入口及び空気排出口を有するハウジングと、その内部を上部と下部とに分割する仕切り板を有し、前記上部及び前記下部が前記仕切り板に形成された中央孔を介して連通されるように構成された貯留槽と、回転軸に固定して取り付けられ前記回転軸と共に回転し、洗浄水を散水しつつ前記空気吸入口から前記ハウジング内に空気を吸入し、吸入された空気を散水された洗浄水中に通過させる送風ユニットと、前記貯留槽に貯留されている洗浄水を前記送風ユニットに供給する給水ユニットとを備えている。
【００２４】
本発明に係る湿式空気洗浄機は、好ましくは、前記空気吸入口から吸入した空気を前記ハウジングの下部に貯水されている洗浄水に向かって導き、前記空気を前記洗浄液中に流入させるガイドブロックをさらに備える。
【００２５】
また、本発明に係る湿式空気洗浄機は、回転軸に固定して取り付けられ、前記貯留槽の下部に貯水されている洗浄水を吸い上げて散水し、前記空気吸入口から吸入された空気を、前記散水された前記洗浄水中を通過させて、前記貯留槽の上部に貯水されている洗浄水中に流入するように導く浄化ユニットをさらに備える。
【００２６】
前記浄化ユニットは、その下端が、前記仕切り板の前記中央孔を通って前記貯留槽の下部に貯留された洗浄水中に浸され、当該ユニットの回転時に生じる遠心力によって前記洗浄水を吸い上げるべく、上側から下側に向かうにつれて狭くなるじょうご状の形状を有する内側ガイド部と、前記内側ガイド部の上端に設置された水噴射部と、前記ガイドブロック内の空気を下方へ送る送風ファンと、前記内側ガイド部の外側に離間して設けられ、前記送風機によって下方に送られた空気と前記水噴射部から噴射された洗浄水とを前記貯留槽の上部に貯留されている前記洗浄水中に流入させる間隙を前記内側ガイド部との間に有する外側ガイド部とを含む。
【００２７】
前記ポンプユニットは、その下端が前記貯留槽の下部に位置し、その上端が前記送風ユニットの上方に位置する水給水管と、前記水給水管に取り付けられ、前記貯留槽の下部に貯留された洗浄水を揚水して前記送風ユニットに供給するポンプとを含む。
【００２８】
前記貯留槽の上部は、上側にいくにつれて外側に広がる壁と、その壁の端部から上側に延びる側壁とを有し前記貯留槽の下部は、前記外側に広がる壁の底面から下側に延びる側壁を有し、前記ハウジングの側壁は、その外面が、前記貯留槽の上部の側壁の内面と接触するように、前記外側に広がる壁を通って延びており、前記給水管も、前記外側に広がる壁を通って延びて、前記貯留槽の下部に接続される。
【００２９】
前記貯留槽は、前記ハウジング内に着脱自在に設置される。
【００３０】
また、本発明に係る湿式空気洗浄機は、前記仕切り板の中央孔の周囲に設けられる水洗浄ユニットをさらに備える。前記水洗浄ユニットは、複数の孔を有する環状のケースと、前記ケース内に充填され、前記ケースを通過する水に含まれている有害物質をろ過する洗浄物質とを含む。前記洗浄物質としては、ゼオライトを用いることができる。
【発明を実施するための最良の形態】
【００３１】
以下、添付した図面を参照しつつ、本発明に係る湿式空気清浄機の好適な実施形態について詳細に説明する。
【００３２】
図２は、本発明の第１実施形態に係る湿式空気清浄機の断面図である。また、図３は、図２に示した空気清浄機に含まれるガイドブロック１００の斜視図である。
【００３３】
図２に示すように、本発明の第１実施形態に係る湿式空気清浄機は、複数（例えば４個）の空気吸入口５２及び空気排出口５４が形成されたハウジング５０と、ハウジング５０の下部に配置された、洗浄水を貯留するための貯留槽２００と、空気吸入口５２から室内空気を吸入しつつ、通過する空気に対して洗浄水を散布する送風ユニット６０と、空気吸入口から吸入された室内空気を貯留槽２００に貯留されている洗浄水へ導くガイドブロック１００と、貯留槽２００に貯留されている洗浄水を揚水して送風ユニット６０に供給する給水ユニット７０と、空気中に含まれている大きいサイズの粒子を捕集する及び空気中の水分を飛散させる第１浄化ユニット８０と、ガイドブロック１００の内部を流れる空気を貯留槽２００に貯留されている洗浄水に向かって下方に送りつつ、貯留槽２００に貯留されている洗浄水を吸い上げて噴射し、下方に送られた空気と噴射された洗浄水とを接触させる第２浄化ユニット９０とを備えている。
【００３４】
ハウジング５０は、例えば円筒状に形成されている。空気排出口５４はハウジング５０の上壁に形成され、空気吸入口５２はハウジング５０の側壁に形成される。空気排出口５４と送風ユニット６０との間には、洗浄水が空気と共に空気排出口５４から排出されるのを防止するフィルタユニット５６が設置される。
【００３５】
ガイドブロック１００は、図３に示すように、ハウジング５０よりも直径が小さい、下部が開放された円筒状に形成されている。ガイドブロック１００の上端部には、空気吸入口５２を通ってハウジング５０の外側へ突出するように半径方向に延びる吸入通路１０２が、複数（例えば４個）形成されている。吸入通路１０２から吸入された室内空気は、ガイドブロック１００の下端に導かれ、貯留槽２００に貯留されている洗浄水と接触する。空気は、その後、ガイドブロック１００の外壁とハウジング５０の内壁との間に形成された流路を通って上昇し、空気排出口５４から外部に排出される。
【００３６】
送風ユニット６０は、空気排出口５４とガイドブロック１００との間の位置で、モータ６９により回転する回転軸５８に取り付けられる。送風ユニット６０は、回転軸５８に固定されたファン本体６７と、ファン本体の外周面に形成された複数の羽根６６を有する多機能ファン６２とを含んでおり、ハウジング５０内の空気を空気排出口５４から外部に排出しつつ、自身に供給された洗浄水を半径方向に散布する。モータ６９が回転軸５８と多機能ファン６２を回転させると、吸入通路１０２から室内空気が吸入される。吸入された空気は、ガイドブロック１００を通って下方へ移動した後、上方へ移動して空気排出口５４から排出される。モータ６９により回転軸５８が回転すると、回転軸５８に固定されている第１浄化ユニット８０のドラム８２、及び第２浄化ユニット９０のファン９４ａも回転するが、これについては後述する。多機能ファン６２の回転により、室内空気が空気吸入口５２からハウジング５０内に吸入される。
【００３７】
各羽根６６には、多数のガイド６８が形成されている。ガイド６８は、羽根６６の上面に形成されており、半径方向に延びている。このガイド６８の存在によって、羽根６６の上面に落下した洗浄水を、ファン本体６２の周方向に散水することができる。そのために、ガイド６８は、羽根６６の形状と一致するように、曲線状に形成されている。このことにより、洗浄水の散水をより効果的に行うことができる。
【００３８】
ファン本体６７には、給水ユニット７０から供給された洗浄水を貯水するための貯水部６５が、凹状に形成されている。また、貯水部６５の側壁には複数の水噴射孔６４が形成されており、ファン本体６７の回転により生じた遠心力によって、貯水部６５に貯水された洗浄水を半径方向に噴射することができる。
【００３９】
給水ユニット７０は、その下端がハウジング５０の下部近傍に配置され洗浄水中に浸され、その上端が多機能ファン６２の上方に配置される給水管７２と、給水管７２に取り付けられ、ハウジング５０の下部に貯留されている洗浄水を汲み上げて多機能ファン６２に供給するポンプ７４とを含んでいる。
【００４０】
第１浄化ユニット８０は、回転軸５８に固定的に取り付けられ、上部が開放され下部が閉鎖された円筒状のドラム８２と、空気中の大型粒子及び水分をドラム８２の内部に導くべく、ガイドブロック１００の側壁からドラム８２の上方に向かって斜めに延びる捕集部材８６とを備えている。また、ドラム８２の側壁には、複数の放出孔８４が形成されている。
【００４１】
第２浄化ユニット９０は、図４に示すように、その下端が洗浄水に浸された内側ガイド部９１と、内側ガイド部９１の上端に設けられた水噴射部９２と、水噴射部９２の上側に位置し、ガイドブロック１００内の空気を下側へ送る送風ファン９４と、内側ガイド部９１の外側に離間して設けられた、送風ファン９４によって下側へ送られた空気と水噴射部９２から噴射された洗浄水とをハウジング５０の下部に貯留されている洗浄水中に流入させる外側ガイド部９６とを備えている。第２浄化ユニット９０は、回転軸５８に固定的に取り付けられており、回転軸５８と共に回転する。内側ガイド部９１は、遠心力によって洗浄水を上側へ移送するように、上側が広くて下側が狭い、じょうご状の形状を有している。内側ガイド部９１の内面又は外面に、洗浄水の吸い上げを促進する任意のタイプのガイドを設けることができる。
【００４２】
図５を参照して、貯留槽２００の内部は、中央孔２２２を有する仕切り板２２０によって上部と下部に分割される。上部と下部は、仕切り板２２０に形成された中央孔２２２を介して連通される。上部は、上側にいくにつれて外側に広がる壁と、その壁の端部から上側に延びる側壁２１０とを有している。下部は、前記外側に広がる壁の底面から下側に延びる側壁を有している。ハウジング５０の側壁は、その外面が、貯留槽２００の上部の側壁２１０の内面と接触するように、前記外側に広がる壁を通って延びている。また、給水管７２も、前記外側に広がる壁を通って延びて、貯留槽２００の下部に接続されている。
【００４３】
第２浄化ユニット９０の内側ガイド部９１の下端は、仕切り板２２０の中央孔２２２を通り抜けて、貯留槽２００の下部に貯留されている洗浄水中に延びている。
【００４４】
洗浄水は、貯留槽２００の下部だけでなく、上部まで貯留される。貯留槽２００の下部に貯留された洗浄水は、ポンプ７４によって揚水され、給水管７２を通じて送風ユニット６０に供給される。また、下部に貯留された洗浄水は、内側ガイド部９１の回転によって吸い上げられる。空気の浄化に用いられた後、貯留槽２００に落下した洗浄水は、主に、貯留槽２００の上部に貯留される。
【００４５】
図６乃至図８は、本発明の第２の実施形態に係る湿式空気清浄機を示す図である。
【００４６】
この第２の実施形態に係る湿式空気清浄機は、水洗浄ユニット３００を除けば、上記の第１の実施形態と同様である。よって、水洗浄ユニット３００についてのみ説明し、第１の実施形態と同一の部分については同一符号を付してその説明を省略する。
【００４７】
図６乃至図８に示すように、水洗浄ユニット３００は、仕切り板２２０の中央孔２２２の周囲に設けられる。水洗浄ユニット３００は、複数の孔３１０を有する環状のケースと、ケース内に充填され、前記ケースを通過する水内の有害物質をろ過するための洗浄物質３２０（例えば、ゼオライト）とを含む。このような構成により、貯留槽２００の上部に貯留された水が、水洗浄ユニット３００と中央孔２２２を通って下部へと流れる途中で、前記洗浄物質によって有害物質などの異物をろ過することができる。したがって、貯留槽２００の内面の汚染、及び水中でのカビや細菌の増殖を抑制することができる。
【００４８】
以下、本発明に係る湿式空気清浄機の動作について説明する。
【００４９】
モータ６９により回転軸５８が回転すると、回転軸５８と共に、多機能ファン６２、ドラム８２及び送風ファン９４が回転し、室内空気が吸入通路１０２を通ってハウジング５０内に吸入される。吸入された空気は、ガイドブロック１００を通って下方に移送される途中で、空気中に含まれている水分及び／又は大きいサイズの粒子が捕集部材８６によってドラム８２の内部に捕集される。そして、ドラム８２内に捕集された水分は、ドラム８２の回転によってドラム８２の外側に放出される。第１浄化ユニット８０を通過した空気は、第２浄化ユニット９０のファン９４の回転によって、下方へ送られる。第２浄化ユニット９０によって下方に送られた空気は、水噴射部９２から噴射された洗浄水中を通過した後、貯留槽２００に貯留されている洗浄水中に流入する。このように、流入した空気が洗浄水と接触することによって、空気中の異物が洗浄水に吸着され除去される。空気は、その後、ガイドブロック１００とハウジング５０との間に形成された空気流路を通って上方へ移動する。
【００５０】
それと同時に、給水ユニット７０によって揚水された洗浄水が、多機能ファン６２に供給される。多機能ファン６２に供給された洗浄水は、多機能ファン６２の回転によって散水される。したがって、空気流路を通って上方へ移動する空気は、多機能ファン６２によって散水された洗浄水中を通過して空気排出口５４から外部に排出される。このとき、散水された洗浄水は空気と接触し、空気中に残留する異物を吸着する。また、散水された洗浄水は、ハウジング５０の内面と衝突してマイナスイオンを発生させる。発生したマイナスイオンは、空気と共に外部に排出される。
【００５１】
以上のように構成された本発明に係る湿式空気清浄機によれば、きれいな洗浄水と、空気清浄機のハウジング内に吸入された空気を浄化するのに使用された汚染した水とを分離する仕切り板を有する貯留槽２００を備えることにより、多機能ファン６２及びファン９４からは有害物質などの異物の含有密度が低い洗浄水が散水されるので、吸着効率が低下することがない。また、仕切り２２０の中央孔２２２の周囲に水洗浄ユニット３００を設けることにより、水洗浄ユニット３００を通って貯留槽２００の下部に流入する洗浄水に含まれている有害物質をろ過することができる。したがって、貯留槽２００の内面の汚染、及び水中でのカビや細菌の増殖を抑制することができる。
【００５２】
以上、本発明の好適な実施形態について説明したが、本発明は上記した実施形態に限定されるものではなく、本発明に係る技術的思想の範囲から逸脱しない範囲内で様々な変更及び変形が可能である。
【図面の簡単な説明】
【００５３】
【図１】従来の湿式空気清浄機を示す図である。
【図２】本発明の第１の実施形態に係る湿式空気清浄機の断面図である。
【図３】図２に示した湿式空気清浄機に含まれるガイドブロックの斜視図である。
【図４】図２に示した湿式空気清浄機に含まれる第２浄化ユニットの断面図である。
【図５】図２に示した湿式空気清浄機に含まれる貯留槽の斜視図である。
【図６】本発明の第２の実施形態に係る湿式空気清浄機の断面図である。
【図７】図５に示した湿式空気清浄機に含まれる水洗浄ユニットの斜視図である。
【図８】図７に示した水洗浄ユニットの断面図である。
【図１】
2008520333.tif 000003
【図２】
2008520333.tif 000004
【図３】
2008520333.tif 000005
【図４】
2008520333.tif 000006
【図５】
2008520333.tif 000007
【図６】
2008520333.tif 000008
【図７】
2008520333.tif 000009
【図８】
2008520333.tif 000010
【国際調査報告】
2008520333.tif 000011
2008520333.tif 000012
2008520333.tif 000013